(57)【要約】  【課題】移動時にこじれずにスムーズに摺動可能なステープラ用ゲージを提供する。  【解決手段】対をなすベース側壁１１１と、前記ベース側壁１１１の上端部間に設けてなるベース頂壁１１２とを具備するステープラのベース部１に対して、所定方向に摺動可能なものであって、前記ベース側壁１１１に沿って摺動可能な一対の側壁側摺動部Ｇ１と、ステープルの打針のために前記ベース頂壁１１２へ載置される紙葉類の一端縁を当接させるための当接部とを備え、  前記側壁側摺動部Ｇ１を前記ベース側壁１１１に沿って摺動させることにより、前記当接部を前記ベース部１の所定位置に位置付け得るようにした。【選択図】図６
2005138247.tif 000002
【特許請求の範囲】
【請求項１】
対をなすベース側壁と、前記ベース側壁の上端部間に設けてなるベース頂壁とを具備するステープラのベース部に対して、所定方向に摺動可能なものであって、
前記ベース側壁に沿って摺動可能な一対の側壁側摺動部と、
ステープルの打針のために前記ベース頂壁へ載置される紙葉類の一端縁を当接させるための当接部とを備え、
前記側壁側摺動部を前記ベース側壁に沿って摺動させることにより、前記当接部を前記ベース部の所定位置に位置付け得るようにしたことを特徴とするステープラ用ゲージ。
【請求項２】
前記当接部を、前記一対の側壁側摺動部またはその近傍に、対をなすように設けていることを特徴とする請求項１記載のステープラ用ゲージ。
【請求項３】
前記側壁側摺動部の上方側に突出する操作部を備えていることを特徴とする請求項１または２記載のステープラ用ゲージ。
【請求項４】
前記ベース頂壁に沿って摺動可能な頂壁側摺動部を、備えていることを特徴とする請求項１乃至３いずれか記載のステープラ用ゲージ。
【請求項５】
前記操作部が、前記側壁側摺動部の上方側から前記頂壁側摺動部の上方側にかけて突出するものであることを特徴とする請求項４記載のステープラ用ゲージ。
【請求項６】
前記操作部が、前記ベース頂壁の上向き面と略直角をなす操作部起立面を備えるものであって、
前記操作部起立面を、前記当接部としていることを特徴とする請求項３乃至５いずれか記載のステープラ用ゲージ。
【請求項７】
前記ベース部が、ステープルの綴じ位置を案内するための直線状の目盛部を備えるものであって、
前記操作部起立面と前記目盛部とを平行をなすように構成していることを特徴とする請求項６記載のステープラ用ゲージ。
【請求項８】
前記側壁側摺動部の摺動方向の寸法を、前記操作部の摺動方向の寸法よりも、大きな寸法を有するように構成していることを特徴とする請求項３乃至７いずれか記載のステープラ用ゲージ。
【請求項９】
前記ベース部から離間することを防止する離間防止手段を備えていることを特徴とする請求項１乃至８いずれか記載のステープラ用ゲージ。
【請求項１０】
前記離間防止手段が、前記当接部を前記ベース頂壁に引き寄せる向きの付勢力を与える付勢部材であることを特徴とする請求項９記載のステープラ用ゲージ。
【請求項１１】
前記離間防止手段を、前記ベース頂壁の裏面側に備えていることを特徴とする請求項９または１０記載のステープラ用ゲージ。
【請求項１２】
前記離間防止手段を、前記一対の側壁側摺動部から略等距離となる位置に設けていることを特徴とする請求項９乃至１１いずれか記載のステープラ用ゲージ。
【請求項１３】
前記ベース部が、前記ベース頂壁から窪ませてなり且つ長手方向を前記ベース側壁と略平行をなすように構成した溝状のゲージ案内部を備えるものであって、
前記ゲージ案内部に案内されてスライド移動する被案内部を備えていることを特徴とする請求項１乃至１２いずれか記載のステープラ用ゲージ。
【請求項１４】
前記ベース頂壁が、厚み方向に貫通し且つ前記ベース側壁と平行なゲージ案内孔を備えるものであって、
前記ゲージ案内孔に案内されてスライド移動する突出部を備えていることを特徴とする請求項１乃至１３いずれか記載のステープラ用ゲージ。
【請求項１５】
請求項１乃至１４いずれか記載のベース部及びステープラ用ゲージと、
紙葉類を打針するステープルを収容するステープル収容部と、
前記ステープル収容部に収容されるステープルを、前記紙葉類に打針するための打針手段とを具備することを特徴とするステープラ。
【発明の詳細な説明】
【技術分野】
【０００１】
本発明は、オフィス等で利用され、且つ、ステープルにより紙葉類を綴じる際にその綴じ位置を決めるためのステープラ用ゲージ、及び、そのステープラ用ゲージを備えるステープラに関するものである。
【背景技術】
【０００２】
従来から、紙葉類をステープルにより綴じる際、その紙葉類の綴じ位置を決めるためのゲージを備えたステープラが知られている。具体的に、この種のステープラは、ベース部に形成した平面視略矩形状の溝部に、ゲージの下端側に設けた突出部を挿入し、このゲージをベース部の側壁と平行な方向にスライド移動可能に構成されている（例えば特許文献１参照）。
【特許文献１】実開昭６３−８６９８３号公報（第１頁、第１図、第３図）
【発明の開示】
【発明が解決しようとする課題】
【０００３】
ところが、従来のゲージの幅寸法は、前記ベース部の幅寸法よりも小さく構成されているため、溝部内をスライド移動させたゲージの突出部が、その溝部内でこじれてしまい、スムーズに移動することができないといった問題点を有している。
【０００４】
本発明は、このような課題に着目してなされたものであって、主たる目的は、移動時にこじれずにスムーズに摺動可能なステープラ用ゲージを提供することにある。
【課題を解決するための手段】
【０００５】
すなわち、本発明のステープラ用ゲージは、対をなすベース側壁と、前記ベース側壁の上端部間に設けてなるベース頂壁とを具備するステープラのベース部に対して、所定方向に摺動可能なものであって、前記ベース側壁に沿って摺動可能な一対の側壁側摺動部と、ステープルの打針のために前記ベース頂壁へ載置される紙葉類の一端縁を当接させるための当接部とを備え、前記側壁側摺動部を前記ベース側壁に沿って摺動させることにより、前記当接部を前記ベース部の所定位置に位置付け得るようにしたことを特徴とする。
【０００６】
このようなものであれば、一対の側壁側摺動部が一対のベース側壁を摺動可能に挟み込んでいるので、一方の側壁側摺動部が一方のベース側壁から離間する向きに移動しようとしても、他方の側壁側摺動部が他方のベース側壁と当接するので、そのような摺動方向と異なる方向への移動を効果的に防止することができる。
【０００７】
すなわち、前記当接部を、前記ベース部の所定位置たる所望の綴じ位置に位置付けるべく、該ステープラ用ゲージを前方又は後方に摺動させる際に、一方の側壁側摺動部のみが一方のベース側壁と摺動し、他方の側壁側摺動部が他方のベース側壁と離間してしまうといった、所謂ねじれが発生せず、一対の側壁側摺動部が一対のベース側壁と常時接することとなるので、非常にスムーズな摺動を実現可能なステープラ用ゲージを提供することができる。
【０００８】
なお、前記当接部を、前記一対の側壁側摺動部またはその近傍に、対をなすように設ければ、当接部間を広く取れるので、紙葉類を揃えやすい。
【０００９】
また、該ステープラ用ゲージを、幅広とすることなく、操作性を向上するためには、前記側壁側摺動部の上方側に突出する操作部を備えていることが望ましい。
【００１０】
より安定して摺動させるには、前記ベース頂壁に沿って摺動可能な頂壁側摺動部を、備えていることが好ましい。
【００１１】
そして、前記操作部が、前記側壁側摺動部の上方側から前記頂壁側摺動部の上方側にかけて突出するものであれば、操作性がさらに向上する。
【００１２】
また、前記操作部が、前記ベース頂壁の上向き面と略直角をなす操作部起立面を備えるものであって、前記操作部起立面を、前記当接部としていれば、紙葉類と当接する部位を幅方向に広く取れるので、紙葉類を揃えやすい。また、綴じる紙葉類が多い場合でも、当接部に当てて好適に揃えることができる。
【００１３】
さらに、前記ベース部が、ステープルの綴じ位置を案内するための直線状の目盛部を備えるものであって、前記操作部起立面と前記目盛部とを平行をなすように構成したものであれば、紙葉類を綴じる枚数が多くても、綴じ位置を好適に決めることができる。
【００１４】
また、ねじれを効果的に防止して、スムーズな摺動を実現するためには、前記側壁側摺動部の摺動方向の寸法を、前記操作部の摺動方向の寸法よりも、大きな寸法を有するように構成していることが望ましい。
【００１５】
ところで、該ステープラ用ゲージのベースからの不意な脱落や紛失を防止するには、前記ベース部から離間することを防止する離間防止手段を備えていることが好ましい。
【００１６】
また、この離間防止手段が、前記当接部を前記ベース頂壁に引き寄せる向きの付勢力を与える付勢部材であれば、該ステープラ用ゲージを安定保持することができる。
【００１７】
また、前記離間防止手段を、前記ベース頂壁の裏面側に備えているものであれば、離間防止手段が紙葉類と干渉することを防止できる。
【００１８】
さらに、前記離間防止手段を、前記一対の側壁側摺動部から略等距離となる位置に設けていれば、省部材化しながらも、該ステープラ用ゲージを安定支持できる。
【００１９】
また、前記ベース部が、前記ベース頂壁から窪ませてなり且つ長手方向を前記ベース側壁と略平行をなすように構成した溝状のゲージ案内部を備えるものであって、前記ゲージ案内部に案内されてスライド移動する被案内部を備えているものであれば、より安定してスムーズに摺動できる。
【００２０】
また、前記ベース頂壁が、厚み方向に貫通し且つ前記ベース側壁と平行なすゲージ案内孔を備えるものであって、前記ゲージ案内孔に案内されてスライド移動する突出部を備えているものであれば、側壁側摺動部と突出部とでベース部を挟み込めるので、さらにスライド動作時の安定度が増す。
【００２１】
上述したステープラ用ゲージを、ステープラに適用すれば、好適に使用することができる。
【発明の効果】
【００２２】
以上説明したように本発明のステープラ用ゲージによれば、一対の側壁側摺動部が一対のベース側壁を摺動可能に挟み込んでいるので、一方の側壁側摺動部が一方のベース側壁から離間する向きに移動しようとしても、他方の側壁側摺動部が他方のベース側壁と当接するので、そのような摺動方向と異なる方向への移動を効果的に防止することができる。
【００２３】
すなわち、前記当接部を、前記ベース部の所定位置たる所望の綴じ位置に位置付けるべく、該ステープラ用ゲージを前方又は後方に摺動させる際に、一方の側壁側摺動部のみが一方のベース側壁と摺動し、他方の側壁側摺動部が他方のベース側壁と離間してしまうといった、所謂ねじれが発生せず、一対の側壁側摺動部が一対のベース側壁と常時接することとなるので、非常にスムーズな摺動を実現可能なステープラ用ゲージを提供することができる。
【発明を実施するための最良の形態】
【００２４】
以下、本発明の一実施形態を、図面を参照して説明する。
【００２５】
本発明に係るステープラ用ゲージＧは、図１に示すようなステープラＳＰに具備されて使用されるものである。
【００２６】
まず、このステープラＳＰについて説明をすると、このステープラＳＰは、図１に示すように、ベース部１と、ステープル（図示せず）を収容するステープル収容部２と、ステープルを打針するためのインナーハンドル３およびアウターハンドル４と、前記インナーハンドル３とアウターハンドル４とを連動動作させるための連動動作手段５と、前記アウターハンドル４を回動可能に支持するアウターハンドル支持部６と、前記インナーハンドル３を回動可能に支持するインナーハンドル支持部７と、前記アウターハンドル４の上方及び側方を覆うためのハンドルカバー８とを具備してなる。
【００２７】
そして、前記インナーハンドル３、前記アウターハンドル４、および前記連動動作手段５が、ステープル収容部２に収容されているステープルを紙葉類（図示せず）に強力に打針する打針手段を構成している。
【００２８】
なお、本実施形態では、各ハンドル支持部６、７を備えない側を前側（使用端側）、各ハンドル支持部６、７を備える側を後側（反使用端側）として説明を行うが、前後を逆にして、すなわち使用端側と反使用端側とを逆転しても使用することができる。
【００２９】
ベース部１は、図１等に示すように、平面視略矩形状のベース本体１１と、このベース本体１１の前端部および後端部をそれぞれ保護するための着脱可能な前ベースカバー１２ａおよび後ベースカバー１２ｂとを具備してなる。
【００３０】
より具体的には、ベース本体１１は、１枚の板金素材の両側縁を、断面視下向き略コ字状に折り曲げ形成したものであって、起立する一対のベース側壁１１１とベース頂壁１１２とを備えてなる。
【００３１】
そして、前記ベース頂壁１１２の略中央部から後端部にかけて、後述するステープラ用ゲージＧの被案内部Ｇ２のスライド移動を案内するためのゲージ案内部１１２ｍを設けている。
【００３２】
このゲージ案内部１１２ｍは、扁平溝状のものであって、長手方向を前記ベース側壁１１１と略平行をなしている。
【００３３】
また、このゲージ案内部１１２ｍの前端部には、打針されるステープルＸを受け止めるためのステープル受部１１２Ｘを備えている。このステープル受部１１２Ｘの位置が打針位置となる。
【００３４】
さらに、このゲージ案内部１１２ｍには、該ベース頂壁１１２の厚み方向に貫通するゲージ案内孔１１２ｍ１を備えている。このゲージ案内孔１１２ｍ１は、スリット状のものであって、長手方向を前記ベース側壁１１１と略平行に構成している。
【００３５】
さらに、このゲージ案内部１１２ｍには、複数の目盛部１１２ｍ２を所定間隔で設けている。この目盛部１１２ｍ２は、前記ベース側壁１１１と略直角をなす直線溝状のものである。
【００３６】
次に、本発明のステープラ用ゲージＧについて説明する。
【００３７】
ステープラ用ゲージＧは、図１、図５、図６などに示すように、一対の側壁側摺動部Ｇ１と、前記ベース部のゲージ案内部１１２ｍに案内される被案内部Ｇ２と、前記側壁側摺動部Ｇ１と前記被案内部Ｇ２との間に設けられる一対の頂壁側摺動部Ｇ３と、前記側壁側摺動部Ｇ１の上方から頂壁側摺動部Ｇ３の上方にかけて突出する操作部Ｇ４と、前記被案内部Ｇ２から下方に突出する突出部Ｇ５とを合成樹脂により一体に形成してなるとともに、前記突出部Ｇ５に下端部を支持され前記ベース頂壁１１２に上端部を支持される離間防止手段Ｇ６を備えてなる。
【００３８】
以下、各部を詳述する。
【００３９】
側壁側摺動部Ｇ１は、断面視略半月形状に形成されるものであって、起立する起立面Ｇ１ａを、前記ベース側壁１１１の起立面１１１ａに対して摺動可能に構成している。また、該側壁側摺動部Ｇ１の摺動方向の寸法Ｒ１を、後述する操作部Ｇ４の摺動方向の寸法Ｒ２よりも大きく構成している（図５参照）。
【００４０】
被案内部Ｇ２は、前記ゲージ案内部１１２ｍの幅寸法Ｒ３より若干小さい幅寸法Ｒ４を有するものである（図６参照）。そして、両側端部Ｇ２１を断面視略部分円弧状に形成している。また、両端部側および中央部には、摺動方向に沿って伸びる外側溝部Ｓ１と内側溝部Ｓ２を設けている。そして、これら外側溝部Ｓ１と内側溝部Ｓ２との間に、前記目盛部１１２ｍ２に嵌合し得る位置決め部Ｇ２２を設けている。
【００４１】
頂壁側摺動部Ｇ３は、前記ベース頂壁１１２の上向き面１１２ａに摺動可能な下向き摺動面Ｇ３１を備えるものである。
【００４２】
操作部Ｇ４は、前記目盛部１１２ｍ２と平行をなし且つ起立する操作部起立面Ｇ４１を備えてなる。そして、この操作部起立面Ｇ４１を当接部として設定している。
【００４３】
突出部Ｇ５は、略円筒状のものであって、その外径寸法Ｒ５を、前記ゲージ案内孔１１２ｍ１の幅寸法Ｒ６よりも若干小さく構成している。
【００４４】
離間防止手段Ｇ６は、前記被案内部Ｇ２を、前記ベース頂壁１１２に引き寄せる向きの付勢力を与える付勢部材である。そして、下端部を支持部材Ｇ６１及びネジＧ６２を介して前記突出部Ｇ５に固定して支持される一方、上端部を前記ゲージ案内部１１２ｍの下向き面１１２ｍ３に当接支持されている。
【００４５】
以上のように構成されるステープラ用ゲージＧについて、その使用方法を、以下に説明する。
【００４６】
まず、ステープラ用ゲージＧが、図１の実線に示すような位置にあるときに、操作部Ｇ４に対して、そのステープラ用ゲージＧを前方に移動する向きの力を与えたとする。
【００４７】
すると、ベース本体１１の一の目盛部１１２ｍ２に嵌合している位置決め部Ｇ２２が、その目盛部１１２ｍ２から外れ前方に移動を始める。
【００４８】
このとき、操作部Ｇ４に対して、ベース本体１１から上方に離間する向きの操作力が加わっても、離間防止手段Ｇ６は、該ステープラ用ゲージＧを下方に付勢しているので、ベース本体１１から離間することなく前方に移動を続ける。
【００４９】
すなわち、側壁側摺動部Ｇ１の起立面Ｇ１ａがベース側壁１１１の起立面１１１ａを、頂壁側摺動部Ｇ３の下向き摺動面Ｇ３１がベース頂壁１１２の上向き面１１２ａを、被案内部Ｇ２の両側端部Ｇ２１がゲージ案内部１１２ｍの上向き面１１２ｍ４を、被案内部Ｇ２の位置決め部Ｇ２２がゲージ案内部１１２ｍの上向き面１１２ｍ４をそれぞれ摺動することとなるので、こじれが発生することを効果的に防止することができる。
【００５０】
そして、例えば、図1の破線に示す位置に位置付けて、前記一の目盛部１１２ｍ２より前方にある他の目盛部１１２ｍ２に、前記位置決め部Ｇ２２を嵌合させれば、外力を受けない限り離間防止手段Ｇ６によって移動不能となる。
【００５１】
以上に詳述したように、本実施形態に係るステープラ用ゲージＧは、一対の側壁側摺動部Ｇ１が一対のベース側壁１１１を摺動可能に挟み込んでいるので、一方の側壁側摺動部Ｇ１が一方のベース側壁１１１から離間する向きに移動しようとしても、他方の側壁側摺動部Ｇ１が他方のベース側壁１１１と当接するので、摺動方向と異なる方向に移動することを効果的に防止することができる。
【００５２】
すなわち、前記当接部を、前記ベース部の所定位置たる所望の綴じ位置に位置付けるべく、該ステープラ用ゲージＧを前方又は後方に摺動させる際に、一方の側壁側摺動部Ｇ１のみが一方のベース側壁１１１と摺動し、他方の側壁側摺動部Ｇ１が他方のベース側壁１１１と離間してしまうといった、所謂ねじれが発生せず、一対の側壁側摺動部Ｇ１が一対のベース側壁１１１と常時接することとなるので、非常にスムーズな摺動を実現可能なステープラ用ゲージＧを提供することができる。
【００５３】
また、当接部たる操作部起立面Ｇ４１を、対をなすように操作部Ｇ４に設けているので、紙葉類と当接する場所を広く取れ、紙葉類を揃えやすく使い勝手もよい。
【００５４】
さらに、頂壁側摺動部Ｇ３によって、摺動の際の安定度もさらに増す。
【００５５】
そして、操作部Ｇ４が、側壁側摺動部Ｇ１の上方側から前記頂壁側摺動部Ｇ３の上方側にかけて突出させているので、操作性し易いく、また、綴じる紙葉類が多くても、操作部Ｇ４の操作部起立面Ｇ４１に当てて、これを好適に綴じることができる。
【００５６】
さらに、ベース部１が、ステープルの綴じ位置を案内するための直線状の目盛部１１２ｍ２を備え、且つ、操作部起立面Ｇ４１と目盛部１１２ｍ２とを平行をなすように構成しているので、紙葉類を綴じる枚数が多くても、綴じ位置を好適に決めることができる。
【００５７】
また、側壁側摺動部Ｇ１の摺動方向の寸法Ｒ１を、前記操作部Ｇ４の摺動方向の寸法Ｒ２よりも、大きな寸法を有するように構成しているので、ねじれを効果的に防止して、スムーズな摺動を実現することができる。
【００５８】
また、ベース部１から離間することを防止する離間防止手段Ｇ６を備えているのでステープラ用ゲージＧのベースからの不意な脱落や紛失を防止でき、さらに、この離間防止手段Ｇ６を、当接部たる操作部起立面Ｇ４１を前記ベース頂壁１１２に引き寄せる向きの付勢力を与える付勢部材で構成しているので、ステープラ用ゲージＧを安定保持することができる。そして、この離間防止手段Ｇ６を、ベース頂壁１１２の裏面側に備えているので、離間防止手段が紙葉類と干渉することもない。すなわち、綴じ作業の邪魔とならない。さらに、離間防止手段Ｇ６を、前記一対の側壁側摺動部Ｇ１から略等距離となる位置に設けているので、省部材化しながらも、該ステープラ用ゲージＧを安定支持できる。
【００５９】
またさらに、ベース部１が、前記ベース頂壁１１２から窪ませてなり且つ長手方向を前記ベース側壁１１１と略平行をなすように構成した溝状のゲージ案内部１１２ｍを備える一方、このゲージ案内部１１２ｍに案内されてスライド移動する被案内部Ｇ２を備えているので、さらに安定してスムーズに摺動できる。
【００６０】
そして、ベース頂壁１１２が、厚み方向に貫通し且つベース側壁１１１と平行なすゲージ案内孔１１２ｍ１を備え、且つこのゲージ案内孔１１２ｍ１に案内されてスライド移動する突出部Ｇ５を備えているため、側壁側摺動部Ｇ１と突出部Ｇ５とでベース部１を挟み込めるので、さらにスライド動作時の安定度が増す。
【００６１】
また、本実施形態では、被案内部Ｇ２の上端部を、その上面から下端側に窪ませているので、作動待機状態（図２参照）は無論のこと、当接状態（図３参照）および押し込み状態（図４参照）のいずれの状態においても、被案内部Ｇ２とステープル収容部２とが干渉することがない。すなわち、ステープラ用ゲージＧを打針位置に近接させても、好適にステープラを打針することができる。
【００６２】
なお、本発明は、以上に詳述した実施形態に限られるものではない。
【００６３】
たとえば、側壁側摺動部Ｇ１の起立面Ｇ１ａと、ベース側壁１１１の起立面１１１ａとを、面接触により摺動するように構成しているが、係合可能な断面視略椀状の溝部とこの溝部に支持される半球状の突出部とによって摺動させてもよい。具体的には、それら溝部および突出部のうち、いずれか一方を側壁側摺動部Ｇ１に設けるとともに、他方をベース側壁１１１に設けるようにして、これら溝部と突出部とが摺動するように構成したものが挙げられる。
【００６４】
また、ベース本体の一対のベース側壁を斜めに傾けることにより、そのベース本体を断面視略台形状に構成し、且つ、側壁側摺動部を、それらベース側壁と相対するように斜めに傾けるように構成してもよい。
【００６５】
また、ステープラＳＰの打針手段を、インナーハンドル３、アウターハンドル４、および連動動作手段５により構成されるものとしているが、連動動作手段５を用いず且ついずれか一方のハンドルのみで打針手段を構成するといった実施態様も考えられる。
【００６６】
さらに、本実施形態では、突出部Ｇ５にネジＧ６２を用いて取り付けた支持部材Ｇ６１に、離間防止手段Ｇ６の一端側を支持させているが（図５参照）、図７に示すように、突出部Ｇ５の先端部の溝Ｇ５ａに嵌め込んだＥリングＺに、離間防止手段Ｇ６の一端側を支持させる実施態様も挙げられる。
【００６７】
その他、各部の具体的構成についても上記実施形態に限られるものではなく、本発明の趣旨を逸脱しない範囲で種々変形が可能である。
【図面の簡単な説明】
【００６８】
【図１】本発明の一実施形態におけるステープラ用ゲージ及びこのステープラ用ゲージを適用したステープラを示す全体斜視図。
【図２】同実施形態におけるステープラの側面図（作動待機状態）。
【図３】同実施形態におけるステープラの側面図（当接状態）。
【図４】同実施形態におけるステープラの側面図（押し込み状態）。
【図５】同実施形態におけるステープラ用ゲージの側断面図。
【図６】図５におけるＤ−Ｄ間の断面図。
【図７】本発明の他の実施形態における離間防止手段の取り付け態様を示す図。
【符号の説明】
【００６９】
１・・・・・・ベース部
１１１・・・・ベース側壁
１１２・・・・ベース頂壁
１１２ａ・・・ベース頂壁１１２の上向き面
１１２ｍ・・・ゲージ案内部
１１２ｍ１・・ゲージ案内孔
１１２ｍ２・・目盛部
２・・・・・・ステープル収容部
Ｇ・・・・・・ステープラ用ゲージ
Ｇ１・・・・・側壁側摺動部
Ｇ２・・・・・被案内部
Ｇ３・・・・・頂壁側摺動部
Ｇ４・・・・・操作部
Ｇ４１・・・・当接部（操作部起立面）
Ｇ５・・・・・突出部
Ｇ６・・・・・離間防止手段
Ｒ１・・・・・側壁側摺動部Ｇ１の摺動方向の寸法
Ｒ２・・・・・操作部Ｇ４の摺動方向の寸法
ＳＰ・・・・・ステープラ
Ｘ・・・・・・ステープル
【図１】
2005138247.tif 000003
【図２】
2005138247.tif 000004
【図３】
2005138247.tif 000005
【図４】
2005138247.tif 000006
【図５】
2005138247.tif 000007
【図６】
2005138247.tif 000008
【図７】
2005138247.tif 000009